(57)【要約】【課題】  電気コード同士を繋ぐためのコネクタの連結に関して、コードやコネクタに過度の引張力が加わったり、継続的に引っ張られていたりすると、コネクタの緩みやコードの断線等が発生し、通電障害が起こる。かかる問題を解決することが課題である。【解決手段】  扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれ結束バンド２１で締め上げることにより、コードが引っ張られても結束バンド２１がコード穴２４で引っ掛かり、それ以上コードが抜けないようにすることで、上記問題が生じないようになった。【選択図】図３５
2011216451.tif 000002
【特許請求の範囲】
【請求項１】
扉と枠間を通線するための通電具におけるコネクタの保護にあたり、コネクタガードを使用し、プラグ側コード７のプラグ９付近部分と、リセプタクル側コード８のリセプタクル１０付近部分を、それぞれ固定手段にて締め上げつつ、コネクタガードに固定することでコネクタの連結を保護する、コネクタの連結部保護機構
【請求項２】
扉と枠間を通線するための通電具におけるコネクタの保護にあたり、コネクタガードを使用し、プラグ側コード７のプラグ９付近部分と、リセプタクル側コード８のリセプタクル１０付近部分を、それぞれ保護チューブ２２で覆い、その上から固定手段で締め上げつつ、コネクタガードに固定することでコネクタの連結を保護する、コネクタの連結部保護機構
【請求項３】
扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれコード移動阻止手段２１で締め上げることにより、コードが引っ張られてもコード移動阻止手段２１がコード取り付け座内の係止部で引っ掛かり、それ以上コードが抜けないようにすることでコネクタの連結を保護する、コネクタの連結部保護機構
【請求項４】
扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれ保護チューブ２２で覆い、その上から結束バンド２１で締め上げることにより、コードが引っ張られてもコード移動阻止手段２１がコード穴２４で引っ掛かり、それ以上コードが抜けないようにすることでコネクタの連結を保護する、コネクタの連結部保護機構
【請求項５】
扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれコード移動阻止手段２１で締め上げ、コード移動阻止手段２１の取付位置でプラグ側コード又はリセプタクル側コードを固定すべく、コネクタガードとしてのコード取り付け座内にコード移動阻止手段用溝２６を一箇所形成したことを特徴とする、コネクタの連結部保護機構
【請求項６】
扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれ保護チューブ２２で覆い、その上からコード移動阻止手段２１で締め上げ、コード移動阻止手段２１の取付位置でプラグ側コード又はリセプタクル側コードを固定すべく、コネクタガードとしてのコード取り付け座内にコード移動阻止手段２１用溝２６を一箇所形成したことを特徴とする、コネクタの連結部保護機構
【発明の詳細な説明】
【技術分野】
【０００１】  本発明は、扉と枠間を通線するための通電具におけるコネクタの連結部を保護する技術に関する。
【背景技術】
【０００２】  図１乃至５に基づいてコネクタを説明する。
コネクタは、オス側であるプラグ９とメス側であるリセプタクル１０から成り、プラグ９をリセプタクル１０に刺し込むことで、プラグの刺し端子１１がリセプタクルの受け端子１２に刺さり、連結する。その結果、プラグに接続したプラグ側コード７と、コネクタに接続したコネクタ側コード８との間に通電が可能となる。【０００３】  図３１で示したコネクタは、基盤にリセプタクル５３を固定し、そのリセプタクルにプラグ５２を連結して、プラグをフック５４でリセプタクルに固定した従来技術である。かかる従来技術によれば、プラグ５２とリセプタクル５３の間、プラグ５２とプラグ側コード５５の間、及びリセプタクル５３とリセプタ側コード５６の間の接続の保護が不十分となる。【０００４】  図３２で示したコネクタは、コード同士を連結するためのコネクタである。日常的によく見かけるコンセントである。この場合は、プラグ５２とリセプタ５３の間の連結も保護されず、プラグ５２とプラグ側コード５５の間、及びリセプタクル５３とリセプタクル側コード５６の間の接続も保護されない。
【先行技術文献】
【特許文献】
【０００５】
【特許文献１】特開２００７−４２３９８
【発明の概要】
【発明が解決しようとする課題】
【０００６】  解決課題を、図１乃至５に基づいて説明する。【０００７】  図１は、扉回りを例に、コネクタの使われ方を説明した図である。扉を開閉する都度、連絡コード３２が引っ張られ、コネクタ６ａ、６ｂの連結部が引っ張られ、コネクタの連結が緩むとともに、コードのねじれも生じる。扉の開閉の都度、特に風圧を受けたときや扉を強く閉じたときにコードやコネクタに強い振動が掛かる。【０００８】  コネクタの連結部に張力やねじれ、振動が掛かったときの問題を図３、４、５に基づいて説明する。【０００９】  コネクタの連結とは、プラグ９のプラグ側コード７に接続した刺し端子１１を、リセプタクル１０の、リセプタクル側コード８に接続した受け端子１２に刺し込むことで、両コード間の通電を可能にすることである。コネクタを連結した状態でコードに張力やねじれが加わったとき、あるいはコードやコネクタに振動が加わったときに問題が生じる。【００１０】  プラグ側コード７とリセプタクル側コード８の間に、引き離す方向に張力が掛かると、刺し端子１１と受け端子１２の連結が緩んだり、破断したりして通電不良となる。【００１１】  上記諸問題を解決しようとすることが課題である。
【課題を解決するための手段】
【００１２】  図４、５に示すような連結したコネクタの連結部の通電を保障するためには、刺し端子１１と受け端子１２の間の連結の保障が必要である。また、プラグ側コード７と刺し端子１１の間の接続１３ａ、及びリセプタクル側コード８と受け端子１２の間の接続１３ｂの保障が必要である。【００１３】  そこで第一に、扉と枠間を通線するための通電具におけるコネクタの保護にあたり、コネクタガード１５を使用し、プラグ側コード７のプラグ９付近部分と、リセプタクル側コード８のリセプタクル１０付近部分を、それぞれ固定手段にて締め上げつつ、コネクタガードに固定することでコネクタの連結を保護する、コネクタの連結部保護機構を発明した。固定手段としては、例えばネジ１９による固定、結束バンド２１による固定等が考えられる。図６乃至図３０に示すが、具体的には、実施例１乃至３のところで述べる。【００１４】  第二に、扉と枠間を通線するための通電具におけるコネクタの保護にあたり、コネクタガード１５を使用し、プラグ側コード７のプラグ９付近部分と、リセプタクル側コード８のリセプタクル１０付近部分を、それぞれ保護チューブ２２で覆い、その上から結束バンド２１等の固定手段で締め上げつつ、コネクタガード１５に固定することでコネクタの連結を保護する、コネクタの連結部保護機構を発明した。【００１５】  第三に、扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれ結束バンド２１等のコード移動阻止手段で締め上げることにより、コードが引っ張られても、コード移動阻止手段がコード取り付け座内の係止部で引っ掛かり、それ以上コードが抜けないようにすることでコネクタの連結を保護する、コネクタの連結部保護機構を発明した。これについては、図３３、図３４及び図３７に示すが、具体的には実施例４のところで述べる。【００１６】  第四に、扉と枠間を通線するための通電具におけるコネクタの保護にあたり、コネクタガードとしてのコード取り付け座３０、３１を使用し、プラグ側コード７のプラグ９付近部分と、リセプタクル側コード８のリセプタクル１０付近部分を、それぞれ保護チューブで覆い、その上からコード移動阻止手段２１で締め上げることにより、コードが引っ張られてもコード移動阻止手段２１がコード穴２４で引っ掛かり、それ以上コードが抜けないようにすることでコネクタの連結を保護する、コネクタの連結部保護機構を発明した。これについては、図３５、図３６及び図３８に示すが、具体的には実施例４のところで述べる。【００１７】  第五に、コード移動阻止手段２１の取付位置でプラグ側コード又はリセプタクル側コードを固定すべく、コネクタガードとしてのコード取り付け座内にコード移動阻止手段用溝２６を一箇所形成したことを特徴とする、コネクタの連結部保護機構を発明した。これについては、図３９乃至図４２に示すが、具体的には実施例５のところで述べる。
【発明の効果】
【００１８】  プラグ側コードとリセプタクル側コードの、コネクタに近い部分をコネクタガードに固定することで、連結した刺し端子と受け端子の連結の保護、及びプラグ側コードと刺し端子の接続と、リセプタクル側コードと受け端子の接続の保護を同時に行う。【００１９】  具体的には、コードのうち、プラグやリセプタクルに近い部分を、コネクタガード１５の固定座１６にネジ１９や結束バンド２１で固定することで、コードを引っ張ったり、ねじったりして加えられる力をコネクタガードで受け止めるので、コードの両端部で生じうる連結の緩みや断線を防止することができる。【００２０】  なお、結束バンド２１を使用するタイプでは、コードの、プラグやリセプタクルに近い部分に保護チューブ２２を被せ、その上から結束バンド２１で締め上げると、コードと結束バンドの滑りを防止できる点で効果的である。【００２１】  また、通電金具２３等のコード取り付け座３０、３１のように、取り付けネジ３３で扉等に固定するタイプのコネクタガードを利用すれば、コードをネジ１９や結束バンド２１で固定する手間が省ける。
【図面の簡単な説明】
【００２２】
【図１】扉回りを例に、コネクタの使われ方を説明した図
【図２】図１のコネクタの連結状態を示した図
【図３】図１のＡ、Ｂ部分のコネクタの斜視図
【図４】図３のコネクタのＣＣ断面図
【図５】図３のコネクタのプラグとリセプタクルの説明図
【図６】ネジ止めによってコードを固定するコネクタガードの斜視図
【図７】結束バンドによってコードを固定するコネクタガードの斜視図
【図８】ネジ止めによるコネクタガードの使用状態図（上から見た図）
【図９】結束バンドによるコネクタガードの使用状態図（上から見た図）
【図１０】ネジ止めによるコネクタガードの使用状態図（横から見た図）
【図１１】結束バンドによるコネクタガードの使用状態図（横から見た図）
【図１２】図１０におけるＤ位置断面図
【図１３】図１１におけるＥ位置断面図
【図１４】通電金具としてのコード取り付け座の正面図
【図１５】通電金具としてのコード取り付け座の側面図
【図１６】通電金具としてのコード取り付け座（扉側）の内部を示した図
【図１７】通電金具としてのコード取り付け座（枠側）の内部を示した図
【図１８】コード取り付け座としてのコネクタガードの取付前の状態図
【図１９】コード取り付け座としてのコネクタガードの取付後の状態図
【図２０】図１８のＦ位置断面図
【図２１】図１９のＨ位置断面図
【図２２】図１８のＧ位置断面図
【図２３】図１９のＩ位置断面図
【図２４】固定板を使ってコードを固定するコード取り付け座の斜視図
【図２５】固定板を使ってコードを固定する前の状態図
【図２６】固定板を使ってコードを固定し、扉等に取り付けた後の状態図
【図２７】図２５のＪ位置断面図
【図２８】図２６のＫ位置断面図
【図２９】図２５を平面的に示した図
【図３０】図２６を平面的に示した図
【図３１】基板に取り付けたリセプタクルに、プラグをフックで固定した従来のコネクタ保護方法を示した図
【図３２】家電製品の一般的なコネクタを示した図
【図３３】結束バンドで締め上げたコードを使用した通電金具の背面図
【図３４】結束バンドで締め上げたコードを使用した通電金具の側面図
【図３５】保護チューブの上から結束バンドで締め上げたコードを使用した通電金具の背面図
【図３６】保護チューブの上から結束バンドで締め上げたコードを使用した通電金具の側面図
【図３７】結束バンドで締め上げたコードの斜視図
【図３８】保護チューブの上から結束バンドで締め上げたコードの斜視図
【図３９】結束バンド付きコードと通電金具の斜視図
【図４０】結束バンド付きコードと通電金具の平面図
【図４１】結束バンド付きコードを通電金具に嵌めた状態を表した図
【図４２】結束バンド付きコードを通電金具に嵌めた状態の側面図
【発明を実施するための形態】
【００２３】  コネクタガード１５には、単に連結部分を保護するだけのタイプや、扉や枠に取り付ける通電金具２３のようなタイプのものが存在する。以下に示す全ての実施例に共通して言えることは、コードが引っ張られても、コードとプラグ間、コードとリセクタブル間、プラグとリセクタブル間の連結の緩みや断線を防止する工夫が施されている点である。
【実施例１】
【００２４】  コードの固定手段としてネジ１９を用いるのが、本実施例である。【００２５】  図６、図８、図１０、図１２に示す、ネジ１９でコードを固定するコネクタガード１５は、コネクタの連結部分を保護できれば目的を達成するので、必ずしも通電金具２３のように扉等に取り付けて使用しなければならないわけではない。【００２６】  連結したコネクタの全長より長く曲がりにくい材質で、一方にプラグ側コード７を固定するための固定座１６ａと、一方にリセプタ側コード８を固定するための固定座１６ｂを持つコネクタガード１５を採用し、コネクタガードに、連結したコネクタを載せ、コネクタの、プラグ側コード７のプラグ９に近い部分や、リセプタクル側コード８のリセプタクル１０に近い部分を、コネクタガードの固定座１６ａ、１６ｂにネジ１９を使って固定する。ネジ１９を使ってきつく固定すればするほど、コードが滑り動きにくくなる。
【実施例２】
【００２７】  コードの固定手段として拘束バンド２１を用いるのが、本実施例である。【００２８】  図７、図９、図１１、図１３に示す、結束バンド２１でコードを固定するコネクタガードも、コネクタの連結部分を保護できれば目的を達成するので、必ずしも通電金具２３のように扉等に取り付けて使用しなければならないわけではない。【００２９】  なお、結束バンド２１でコードを固定する手法は、ネジ１９で固定する手法よりも簡潔である点で優れているが、長期間使用してうちに結束バンド２１の位置が徐々にずれてくる可能性がある。また、コードのコネクタ付近は、リード線が剥き出しになっている。そこで、コードのコネクタ付近、即ち、コードのプラグ側７とリセプタクル側８を、ビニル系の保護チューブで覆い、その上から結束バンド２１できつく締め上げると、ネジ止め同様、コードが滑り動きにくくなる。
【実施例３】
【００３０】  図１８乃至図３０に示すコネクタガードは、扉等に取り付けて使用するタイプであって、取り付けついでにコードも固定するので、実施例１や実施例２とは異なり、ネジ１９や結束バンド２１を必ずしも要しない。【００３１】  というのも、扉１等に取り付けネジ３３で固定するタイプのものは、その過程を利用することで、コード取り付け座内の固定座４２にコードを固定することができるからである。【００３２】  具体的には、コード取り付け座３０の固定座４２において、コードを固定するための固定板４１を嵌める固定溝４０を設け、プラグ側コードやリセプタクル側コード８ｂを、固定座４２と固定板４１の間に挟んだ状態で、コード取り付け座３０を扉１等に取り付けネジ３３で固定する。すると、固定板４１が扉に押され、コードが固定板４１と固定座４２の間で圧迫され、コードが固定座４２に固定される。
【実施例４】
【００３３】  扉と枠に取り付けるコネクタガードとして典型的なのが、通電金具２３である。通電金具２３は、扉側コード取り付け座３０と枠側コード取り付け座３１とからなり、これに用いるコードとして、結束バンド２１で締め上げたもの、あるいは保護チューブ２２の上から結束バンド２１で締め上げたものを用いた通電金具２３を本実施例とする。本実施例のうち、保護チューブなしのものを図３３、図３４、図３７に示し、保護チューブありのものを図３５、図３６、図３８に示した。【００３４】  本実施例は、これまでの実施例とは異なり、コード取り付け座内でコードを完全に固定するわけではないが、コードが引っ張られても、結束バンド２１が通電金具内の係止部、例えば、コード穴２４で引っ掛かるので、コードがそれ以上抜けることがない。その結果、引張力がコネクタ６に伝わらないため、コネクタの連結を保護することができる。なお、係止部としては、コード穴２４が典型的ではあるが、通電金具２３内に壁面や突起を設けることによって係止部を形成しても良い。
【実施例５】
【００３５】  実施例１から実施例３は完全固定型、実施例４は非固定型であったが、本実施例は、コード取り付け座内でコードの片方側（プラグ側又はリセプタクル側）のみを固定するものである。【００３６】  具体的には、コード取り付け座としての通電金具２３に結束バンド用溝２６を設け、通電金具２３のコード穴２４から伸びてきたプラグ側コード又はリセプタクル側コードをコード溝２５にセットし、コードを締め上げている結束バンド２１を結束バンド用溝２６に嵌めて固定するものである。なお、本実施例は、保護チューブ２２の有無は問わない。
【産業上の利用可能性】
【００３７】  本発明は、扉回りのコードの引っ張り等によるコネクタ連結の緩みや断線の防止を目的としているので、扉と枠間を通線するためのコネクタ連結を必要とする場面での利用が期待できる。
【符号の説明】
【００３８】１…扉
２…丁番
３…配管
４…電気錠
５…配管内配線
６…コネクタ
７…プラグ側コード
８…リセプタ側コード
９…プラグ
１０…リセプタクル
１１…刺し端子
１２…受け端子
１３…接合
１４…コネクタ台
１５…コネクタガード
１６…固定座
１７…ネジ
１８…結束バンド溝
１９…ネジ
２０…ハサミ板
２１…結束バンド
２２…保護チューブ
２３…通電金具
２４…コード穴
２５…コード溝
２６…結束バンド用溝
３０…扉側のコード取り付け座
３１…枠側のコード取り付け座
３２…連絡コード
３３…取り付けネジ
４０…固定溝
４１…固定板
４２…固定座
５１…基板
５２…プラグ
５３…リセプタクル
５４…フック
５５…プラグ側コード
５６…リセプタクル側コード
５７…刺し端子
５８…受け端子
５９…ネジ
【図１】
2011216451.tif 000003
【図２】
2011216451.tif 000004
【図３】
2011216451.tif 000005
【図４】
2011216451.tif 000006
【図５】
2011216451.tif 000007
【図６】
2011216451.tif 000008
【図７】
2011216451.tif 000009
【図８】
2011216451.tif 000010
【図９】
2011216451.tif 000011
【図１０】
2011216451.tif 000012
【図１１】
2011216451.tif 000013
【図１２】
2011216451.tif 000014
【図１３】
2011216451.tif 000015
【図１４】
2011216451.tif 000016
【図１５】
2011216451.tif 000017
【図１６】
2011216451.tif 000018
【図１７】
2011216451.tif 000019
【図１８】
2011216451.tif 000020
【図１９】
2011216451.tif 000021
【図２０】
2011216451.tif 000022
【図２１】
2011216451.tif 000023
【図２２】
2011216451.tif 000024
【図２３】
2011216451.tif 000025
【図２４】
2011216451.tif 000026
【図２５】
2011216451.tif 000027
【図２６】
2011216451.tif 000028
【図２７】
2011216451.tif 000029
【図２８】
2011216451.tif 000030
【図２９】
2011216451.tif 000031
【図３０】
2011216451.tif 000032
【図３１】
2011216451.tif 000033
【図３２】
2011216451.tif 000034
【図３３】
2011216451.tif 000035
【図３４】
2011216451.tif 000036
【図３５】
2011216451.tif 000037
【図３６】
2011216451.tif 000038
【図３７】
2011216451.tif 000039
【図３８】
2011216451.tif 000040
【図３９】
2011216451.tif 000041
【図４０】
2011216451.tif 000042
【図４１】
2011216451.tif 000043
【図４２】
2011216451.tif 000044